(57)【要約】【課題】  可愛らしさと実用性を両立させて満足できる縫いぐるみ人形を提供する。【解決手段】  通信ユニット110と、ＣＰＵ103及び記憶手段105を備えるマイクロコンピュータ101と、集音手段121及び発音手段123とを内蔵し、前記通信ユニット110は、モバイル装置200との通信により前記マイクロコンピュータ101にアプリケーションソフトのインストールを可能とし、インストールにより前記記憶手段105に記憶させた前記アプリケーションソフトを前記ＣＰＵ103により実行可能な縫いぐるみ人形100とする。【選択図】    図１
2016077799.tif 000002
【特許請求の範囲】
【請求項１】
通信ユニットと、ＣＰＵ及び記憶手段を備えるマイクロコンピュータと、集音手段及び発音手段とを内蔵し、
前記通信ユニットは、モバイル装置との通信により前記マイクロコンピュータにアプリケーションソフトのインストールを可能とし、
インストールにより前記記憶手段に記憶させた前記アプリケーションソフトを前記ＣＰＵにより実行可能とすることを特徴とする縫いぐるみ人形。
【請求項２】
前記モバイル装置は、クラウドコンピューティングシステムとネットワーク接続が可能とされていることを特徴とする請求項１に記載した縫いぐるみ人形。
【請求項３】
前記通信ユニットは、Ｂｌｕｅｔｏｏｔｈ規格で前記モバイル装置と通信可能とされることを特徴とする請求項１又は請求項２に記載した縫いぐるみ人形。
【請求項４】
前記モバイル装置は、スマートフォンであることを特徴とする請求項１乃至請求項３の何れかに記載した縫いぐるみ人形。
【発明の詳細な説明】
【技術分野】
【０００１】
本発明は、スマートフォンなどの通信機能を有するモバイル装置と組み合わせて種々の機能を発揮させる縫いぐるみ人形に関するものです。
【背景技術】
【０００２】
近年、見た目や手に持った感触等により、可愛らしさや和みを感じさせる縫いぐるみが多く求められています。
【０００３】
そして、本件出願人は、見た目や手触りにより好感を与えるのみでなく、マイクロフォンやスピーカ、音声記憶再生装置などを内蔵させ、マイクロコンピュータと接続することにより、音声入力装置または音声出力装置としての機能を持たせた縫いぐるみ人形とすると共に、内蔵した音声記憶再生装置を用いてボイスレコーダとして、又は人形と人との間での会話を擬似的に行う玩具として、使用することが可能な縫いぐるみの提案（例えば特許文献１）を行っています。
【０００４】
また、愛玩人形の形態をした玩具にマイクロフォンやスピーカ、撮像手段や送受信機などを内蔵させ、ネットワーク通信により会話を可能とする愛らしさを感じさせるコミュニケーション装置の提案（例えば特許文献２）もなされています。
【先行技術文献】
【特許文献】
【０００５】
【特許文献１】特開２００８―２７１３９７号公報
【特許文献２】特開２００５―１７７１２９号公報
【発明の概要】
【発明が解決しようとする課題】
【０００６】
従来の縫いぐるみは、外観等において愛らしさを感じさせ、精神的に安心感を与えるものが多く、合せて実用的機能を持たせるものなどの提案がされているも、面白さや可愛らしさ等の愛着性と、実用性と、を両立させて満足できるものは極めて少なかった。
【０００７】
本発明は、通信機能を備えたモバイル装置と組み合わせを可能とし、愛着感を持たせつつ実用性の高い縫いぐるみ人形を提供するものです。
【課題を解決するための手段】
【０００８】
本発明に係る縫いぐるみ人形は、通信ユニットと、ＣＰＵ及び記憶手段を備えるマイクロコンピュータと、集音手段及び発音手段とを内蔵し、前記通信ユニットは、モバイル装置との通信により前記マイクロコンピュータにアプリケーションソフト等のインストールを可能とし、前記記憶手段に記憶させた前記アプリケーションソフトを前記ＣＰＵにより実行可能とするものです。
【０００９】
そして、前記モバイル装置は、クラウドコンピューティングシステムとネットワーク接続が可能とされるものです。
【００１０】
また、前記通信ユニットは、Ｂｌｕｅｔｏｏｔｈ（ブルートゥース（登録商標））規格で前記モバイル装置と通信可能とするものです。
【００１１】
更に、前記モバイル装置としては、スマートフォンを用いることが好ましいものです。
【発明の効果】
【００１２】
本発明に係る縫いぐるみ人形は、マイクロコンピュータと通信ユニットを内蔵し、モバイル装置との通信によりアプリケーションソフトをインストール可能とし、集音手段及び発音手段を備えるため、適宜のアプリケーションによりマイクロコンピュータを用いて会話が可能な縫いぐるみ人形としつつアプリケーションソフトの追加を可能として機能の向上や機能の進化を図り、また、対話と手触りとによって所有者に愛着感を与えることができるものです。
【００１３】
そして、縫いぐるみ人形と通信可能なモバイル装置をクラウドコンピューティングシステムとネットワーク接続可能とすることにより、種々のアプリケーションソフトをクラウドコンピューティングシステムからダウンロードして縫いぐるみ人形のマイクロコンピュータにインストールすることができ、対話の内容等を徐々に複雑化、高度化することを可能とするものです。
【００１４】
更に、クラウドコンピューティングシステムとネットワーク接続可能とすることにより、クラウドコンピューティングシステムのデータベースを使用して縫いぐるみ人形のマイクロコンピュータに記憶させたデータをデータベースに転送して記憶させ、必要に応じてクラウドコンピューティングシステムのデータベースから呼び出すことを可能とし、きわめて多くのデータを保存することが可能となるものです。
【００１５】
また、通信ユニットとモバイル装置との通信規格をＢｌｕｅｔｏｏｔｈ（ブルートゥース（登録商標））規格とすることにより、容易に家庭内で縫いぐるみ人形とモバイル装置との通信、ひいては縫いぐるみ人形でクラウドコンピューティングシステムの利用を行うことができるものです。
【００１６】
そして、モバイル装置としてスマートフォンを使用することにより、手軽に縫いぐるみ人形やクラウドコンピューティングシステムとの通信を行うことができるものです。
【図面の簡単な説明】
【００１７】
【図１】本発明の実施の形態に係る縫いぐるみ人形とネットワーク環境を模式的に示す図です。
【発明を実施するための形態】
【００１８】
本発明に係る縫いぐるみ人形は、図１に示すように、内部に中央演算処理装置としてのＣＰＵ103とフラッシュメモリ等の不揮発性メモリを用いた記憶手段105とによるマイクロコンピュータ101とＢｌｕｅｔｏｏｔｈ（ブルートゥース（登録商標））仕様の通信ユニット110を内蔵すると共に、胴体内部に振動センサ131を、首の近辺には集音手段121としてのマイクロフォン及び発音手段123としてのスピーカを内蔵し、口の内側には弾性体と電磁石とによる駆動装置125を備える縫いぐるみ人形100とするものです。
【００１９】
また、両腕の先端には、通電センサ127を組み込み、所有者等が左右の手で縫いぐるみ人形100の左右の手を握ったとき、握った人の通電率を測定することができるようにしているものです。
【００２０】
そして、駆動装置125は、唇の内側に配置したフレームを弾性体により閉じるように近接させておき、電磁石の磁力吸引によりフレームを開くように作動させ、縫いぐるみ人形100の口を開閉可能とするものです。
【００２１】
また、通信ユニット110と通信可能とするモバイル装置200を設けるものとし、このモバイル装置200は、縫いぐるみ人形100に組み込んだ通信ユニット110とＢｌｕｅｔｏｏｔｈ（ブルートゥース（登録商標））規格で通信可能とするスマートフォンを用いるものであり、インターネット通信によりクラウドコンピューティングシステム300（以下単にクラウドシステムという）と通信可能とするものです。
【００２２】
そして、モバイル装置200をインターネット回線によりクラウドシステム300のコンピュータ320に接続し、アプリケーションソフトをクラウドシステム300のアプリケーション310からダウンロードしてダウンロードしたアプリケーションソフトを通信ユニット110に送信し、縫いぐるみ人形100に組み込んだマイクロコンピュータ101にインストールすることを可能とするものです。
【００２３】
更に、この縫いぐるみ人形100は、電源150とする電池を内蔵し、２０センチメートル乃至３０センチメートル程度の大きさとして、片手で、又は両手で把持したり抱きかかえたりできる可愛げのある縫いぐるみとしているものです。
【００２４】
また、このマイクロコンピュータ101の記憶手段105には、音声認識プログラムや音声合成プログラム、音調合成プログラム、更に、タイマーカレンダープログラム、録音プログラム、会話プログラム、音声データなどを記憶させており、これらのデータやプログラムによりＣＰＵ103を作動させて、集音手段121及び発音手段123により人との対話を可能としているものです。
【００２５】
この音声合成用の用語データとしては、例えば、「ぼく」「元気だよ」「遊ぼうよ」「もう」「朝だよ」「夜だよ」「おやすみ」「おはよう」「起きようよ」「ねえ」「きみ」「さん」「ちゃん」「元気」「おつかれさま」「眠いなあ」「ありがとう」「うふふ」「今日も」「おしゃべり」「楽しいな」等の単語を記憶手段105に記憶させているものです。
【００２６】
また、所有者が縫いぐるみ人形100の名前を登録することを可能とすると共に、所有者の名前、所有者の誕生日、所有者の星座等も登録可能としており、音声合成プログラム、会話プログラムにより縫いぐるみ人形100との対話をより一層面白く親しみの有るものとすることを可能としているものです。
【００２７】
そして、この縫いぐるみ人形100は、話し掛けた言葉に対する応答を会話プログラムにより発音手段123であるスピーカから発声させることができ、また、集音手段121であるマイクロフォンに向かって話した言葉を記憶手段105であるメモリに記録させることもできるものです。
【００２８】
また、この縫いぐるみ人形100は、集音手段121であるマイクロフォンに向かって話した言葉を記憶手段105であるメモリに記録させることができ、話し掛けた言葉に対する応答を発音手段123であるスピーカから発声させることもできるものです。
【００２９】
そして、音調合成プログラムにより、発声に際するアクセント情報や強調情報などの語調情報を使用し、また、穏やかな話調、楽しげな話調、皮肉めいた話調、などの話調情報、等をも使用し、朗読的な話調ではなく、対話の雰囲気を楽しめるようにする場合、更には、所有者等の対話者の話し方や音声波長の情報を蓄積データとすることにより、対話者の話調を復元する会話の発声を行うようにすることもあるものです。
【００３０】
更に、発音手段123から音声を発生させるに際し、マイクロコンピュータ101からパルス信号を駆動装置125に出力し、音声発生に合わせて間歇的に電磁石を励磁して縫いぐるみ人形100の口を作動させるものです。
【００３１】
また、タイマーカレンダーと音声データとを使用し、設定時刻になると「おはよう」や「朝だよ」、「起きようよ」などの音声を出力させ、目覚し時計の機能を発揮させることができるものです。
【００３２】
そして、縫いぐるみ人形100の両手を所有者が両手で握ることにより、通電率を測定し、体脂肪率の測定を行くことができ、更に通電率の変化に応じた所有者の体調への忠告などの言葉を発生させることもできるものです。
【００３３】
また、振動センサ131により縫いぐるみ人形100が抱かれたり移動させられたりしたときには、所有者に語り掛けるような音声の発声を行い、更に、振動センサ131により移動させられた回数を計測し又は計測した移動時間を累積することによって、会話プログラムで使用可能とする単語数を順次増加させるようにするものです。
【００３４】
更に、モバイル装置200によりクラウドシステム300にインターネット接続を行い、対話ゲームソフト等のアプリケーションソフトをクラウドシステム300のアプリケーション310からダウンロードし、モバイル装置200にダウンロードしたアプリケーションソフトを通信ユニット110を介してマイクロコンピュータ101にインストールし、例えば、しりとりゲームやさかさ言葉遊び等のゲームを縫いぐるみ人形100と所有者との間で行うことができるようにすることもあるものです。
【００３５】
そして、友人や知人からのメッセージ、又は保護者から子供へのメッセージ等、各種のメッセージを集音手段121により入力してマイクロコンピュータ101に録音記録することや、更に、これらの録音内容のデータと録音日時のデータとを合わせてモバイル装置200を介してクラウドシステム300のデータベース330に記録させ、日時データ等によりクラウドシステム300から呼び出すことができるようにすることもあるものです。
【００３６】
このように、この縫いぐるみ人形100は、マイクロコンピュータ101と通信ユニット110と、集音手段121及び発音手段123とを内蔵しており、通信ユニット110を介することにより、外部のモバイル装置200と組み合わせてマイクロコンピュータ101に種々のアプリケーションソフトやデータを記憶させることができ、このアプリケーションソフトにより集音手段121と発音手段123を作動させて種々の対話が可能な人形とすることができるものです。
【００３７】
また、新しいアプリケーションソフトをインストールして新たな機能を追加したり、アプリケーションソフトのバージョンアップにより一層高機能な動作を可能として縫いぐるみ人形100に進化、成長をさせることができるものです。
【００３８】
そして、日時等の時間の経過や、振動センサ131による抱きかかえ等の動作の回数又は時間の累積により、会話に用いる語彙を増加させたり話し方を変化させて会話を高度化し、所有者の名前や縫いぐるみ人形100の名前を含む会話を行って縫いぐるみ人形100が成長する感覚を所有者に持たせ、所有者の成長と合わせて縫いぐるみ人形100も成長している感覚により愛着を持たせることができるものです。
【００３９】
また、縫いぐるみの温かさと、擬似的な対話とにより所有者に安堵感や安心感を与えることができるものです。
【００４０】
更に、スマートフォン等の身近なモバイル装置200を用いてクラウドシステム300とのインターネット接続などの通信を可能とすることにより、多くのアプリケーションソフトの使用が可能となると共に、マイクロコンピュータ101の記憶手段105に記憶したデータをクラウドシステム300のデータベース330に転送し、大容量のデータを長期間に亘って保存することができるため、子供の頃のメッセージや会話を呼び出して発生させることもでき、音声によるメモリアルブックとしても楽しめるものです。
【００４１】
このように、内蔵するマイクロコンピュータ101を使用して実用性や面白味のある縫いぐるみ人形100とすることができ愛着を感じさせることができるものです。
【００４２】
そして、図１に示した縫いぐるみ人形100では、唇を作動させる駆動装置125を設けたものですが、更に首をかしげる又は頭部を左右に揺らす動作や、顔の向きを左右に動かすように変化させるなどの動作を行わせる駆動装置を追加する場合もあるものです。
【００４３】
また、駆動装置125は、電磁石への通電遮断により作動させるものに限ることなく、小型のモータを使用することもできるものです。
【００４４】
更に、抱き上げられたり移動させられたことを検出するセンサも、振動センサ131に限るものでなく、加速度センサや傾斜センサ、圧力センサ等、種々のセンサを用いることもできるものです。
【００４５】
尚、唇を作動させる駆動装置125や両腕の先端に組み込む通電センサ127等は省略し、対話等を楽しむ縫いぐるみ人形100とすることもあるものです。
【００４６】
また、この縫いぐるみ人形100の大きさも、両手で持ち易い２０センチメートル乃至３０センチメートル程度の大きさとする場合に限ることなく、片手で容易に把持することのできる２０センチメートルよりも小さな縫いぐるみ人形100とする場合や、３０センチメートルよりも大きく、両手で抱えて楽しむことのできる大きな縫いぐるみ人形100とすることもあるものです。
【産業上の利用可能性】
【００４７】
本発明に係る縫いぐるみ人形100は、外観や手触り及び抱き心地などにより安心感を与えるのみでなく、内蔵するマイクロコンピュータ101にアプリケーションソフトをインストールして種々の機能を与えることができ、集音手段121と発音手段123とにより所有者と人形との対話を可能として楽しみと精神的安らぎとを強く感じさせることができるものです。
【符号の説明】
【００４８】
１００  縫いぐるみ人形
１０１  マイクロコンピュータ          １０３  ＣＰＵ
１０５  記憶手段                      １１０  通信ユニット
１２１  集音手段                      １２３  発音手段
１２５  駆動装置                      １２７  通電センサ
１３１  振動センサ                    １５０  電源
２００  モバイル装置
３００  クラウドコンピューティングシステム
３１０  アプリケーション              ３２０  コンピュータ
３３０  データベース
【図１】
2016077799.tif 000003